(57)【要約】【課題】ソフトキーボードを文字入力手段とする文書作成装置において、人名や固有名詞のような必ず先頭を大文字で表記する必要がある英単語を文頭以外の場所に入力するときにも効率よく先頭の文字を大文字に変換する方法を提供する。【解決手段】文字キーが押下された後にシフトロックキーのロック状態を保持するか解除するかを切替可能なシフトロック動作モードの設定によって、シフトロックキーの押下回数を削減し、英文字入力の操作性を向上させる。【選択図】  図１０
2013207461.tif 000002
【特許請求の範囲】
【請求項１】
文字入力の手段としてソフトキーボード(705)を有する文書作成装置において、
文字を入力する文字入力手段（701）と、
入力モードを大文字入力に変更するシフトロック手段(704)と、
前記シフトロック手段の有効/無効を設定する設定手段（902）と、
前記文字入力手段によって文字が入力されたのちに前記シフトロック手段の設定値に従いシフトロック状態を保持または解除するシフトロック動作モード判定手段（1007）と、
を具備したことを特徴とする文書作成装置または文書作成方法。
【発明の詳細な説明】
【技術分野】
【０００１】
本発明は、文書作成装置および文書作成方法に関する。
【背景技術】
【０００２】
文字を入力するために画面に表示されるキーボードで、ユーザの画面へのタッチなどにより入力を受け付けるソフトキーボードでは、文字入力時に二つのキーを同時に押しながら入力できない。そのため、ソフトキーボードでは、大文字、小文字の入力を切り替えるためにシフトロックキーを配置し、押下して入力モードを大文字入力に固定する。したがって、大文字、小文字の入力を切り替えるたびにシフトロックキーを押下する必要がある。
【０００３】
一方、従来技術には、キーボードより入力された英単語の先頭の文字を自動的に大文字に変換する技術がある。例えば、特許文献１に記載の文書作成装置は、文字の変換方法において以下の特徴を持つ。
【０００４】
まず、キーボードより入力された英単語が文頭にあると判定したときは入力された単語の先頭の文字を大文字に変換する。
【０００５】
また、文書作成装置内には表記形式が固定している単語を集めた辞書が置かれている。入力された単語が、この辞書に登録されている単語に該当したときは辞書内の対応する単語の表記形式に変換する。
【先行技術文献】
【特許文献】
【０００６】
【特許文献１】特開平9-245020号公報
【発明の概要】
【発明が解決しようとする課題】
【０００７】
先行技術の文書作成装置では、人名や固有名詞のような必ず先頭を大文字で表記する必要がある英単語を文頭以外の場所に入力するには、その単語が辞書に登録されていない限り、シフトロックキーを2回押下する必要がある。例えばTomの場合は、“T” の前後でシフトロックキーを押下しなければならない。また、装置内に辞書を置けない場合も同様にシフトロックキーを2回押下する必要がある。
【０００８】
本発明はソフトキーボードによる英文入力時に、英単語を形成する先頭の文字を英文の出現箇所によらず効率よく大文字に変換する手段を提供し、英文作成の効率を向上させることを目的とする。
【課題を解決するための手段】
【０００９】
文字入力の手段としてソフトキーボード(705)を有する文書作成装置において、
シフトロック設定の有効/無効を設定する設定手段（902）と、
文字を入力する文字入力手段（701）と、
入力モードを大文字入力に変更するシフトロック手段(704)と、
前記入力手段によって文字が入力されたのちにシフトロック設定の有効/無効設定に従い
シフトロック状態を解除または保持するシフトロック動作モード判定手段（1007）と
を具備したことを特徴とする文書作成装置。
【発明の効果】
【００１０】
本発明によれば、英文入力時に英単語を形成する先頭の文字だけを大文字入力するためのシフトロックキーの押下回数を削減できるため、ソフトキーボードを入力手段とする文書作成装置の操作性を向上できる。
【図面の簡単な説明】
【００１１】
【図１】本発明の実施の形態に係る画像形成装置を収容するネットワークの構成を模式的に示す図
【図２】図１における複写機の機能ブロック図
【図３】図１における複写機の全体構成図
【図４】図２における操作部の外観図
【図５】図４におけるＬＣＤ表示部に表示する操作画面の例を示す図
【図６】図５におけるブラウザキーを押下したときの図４におけるブラウザ起動画面を示す図
【図７】ソフトキーボード
【図８】設定画面（「設定／登録」メニュー）
【図９】キーボードのシフトロック設定
【図１０】本発明における処理の流れを示す図
【発明を実施するための形態】
【００１２】
以下、本発明の実施の形態を、図面を参照しながら詳細に説明する。
【００１３】
図１は、本発明の実施の形態に係る画像形成装置を収容するネットワークの構成を模式的に示す図である。
【００１４】
本実施の形態では、画像形成装置としてデータ送信機能を有する複写機を説明する。
【００１５】
複写機１０１は、図１に示すように複写機１０１と同等の機能を持つ複写機１０２、ファクシミリ装置１０３、データベース／メールサーバ１０４、クライアントコンピュータ１０５とともに、イーサネット(登録商標)などからなるＬＡＮ１０６に収容されている。また、ファクシミリ装置１０７とともに公衆回線１０８に収容されている。
【００１６】
複写機１０１は、コピー機能、ファクシミリ機能を有するとともに、原稿画像を読み取り、該読み取った画像データをＬＡＮ１０６上の各装置に送信するデータ送信機能を有する。また、ＰＤＬ機能を有するので、ＬＡＮ１０６上に接続されているコンピュータから指示されたＰＤＬ画像を受信して印刷することが可能である。
【００１７】
複写機１０１は、読み取った画像や、ＬＡＮ１０６上に接続されているコンピュータから指示されたＰＤＬ画像を、後述するハードディスクの指定したボックス領域に保存することが可能であり、ボックス領域に保存された画像を印刷することが可能になっている。
【００１８】
複写機１０１は、ＬＡＮ１０６を介して複写機１０２が読み取ったデータを受信し、受信したデータを内部に保存／印刷出力することが可能である。また、クライアントコンピュータ１０５とＬＡＮ１０６を介してデータベース／メールサーバ１０４の画像を受信し、内部に保存／印刷出力することが可能である。
【００１９】
ファクシミリ装置１０３は、ＬＡＮ１０６を介して複写機１０１が読み取ったデータを受信し、該受信したデータを送信することが可能である。
【００２０】
データベース／メールサーバ１０４は、ＬＡＮ１０６を介して複写機１０１が読み取ったデータを受信し、データベースに格納し、電子メールとして送信する機能を有するサーバ装置である。
【００２１】
クライアントコンピュータ１０５は、データベース／メールサーバ１０４に接続され、データベース／メールサーバ１０４から所望のデータを取得して表示することが可能である。また、ＬＡＮ１０６を介して複写機１０１が読み取ったデータを受信し、受信したデータを加工、編集することが可能である。
【００２２】
ファクシミリ装置１０７は、公衆回線１０８を介して複写機１０１が読み取ったデータを受信し、受信したデータを印刷出力することが可能である。
【００２３】
図２は、図１における複写機の機能ブロック図である。
【００２４】
図２において、コントローラユニット２００は、画像入力デバイスであるスキャナ２０１や画像出力デバイスであるプリンタ２０２、操作部２０３と接続される。コントローラユニット２００は、スキャナ２０１で読み取られた画像データをプリンタ２０２により印刷出力するコピー機能を実現するための制御を行う。また、ＬＡＮ１０６や公衆回線１０８（ＷＡＮ）に接続することによって、画像情報やデバイス情報の入出力を行うための制御を行う。
【００２５】
コントローラユニット２００は、ＣＰＵ２１０を有する。ＣＰＵ２１０は、ＲＯＭ２２１に格納されているブートプログラムによりオペレーションシステム（ＯＳ）を立ち上げる。そして、このＯＳ上でＨＤＤ（ハードディスクドライブ）２１２に格納されているアプリケーションプログラムを実行することによって各種処理を実行する。
【００２６】
このＣＰＵ２１０の作業領域としてはＲＡＭ２１３が用いられる。ＲＡＭ２１３は、作業領域とともに、画像データを一時記憶するための画像メモリ領域を提供する。ＨＤＤ２１２は、上記アプリケーションプログラムとともに、画像データを格納する。
【００２７】
ＣＰＵ２１０には、システムバス２１４を介して、ＲＯＭ２１１及びＲＡＭ２１３が接続される。また、ＣＰＵ２１０には、システムバス２１４を介して、操作部Ｉ／Ｆ（操作部インターフェース）２１５、ネットワークＩ／Ｆ２１６、モデム２１７及びイメージバスＩ／Ｆ２１８が接続されている。
【００２８】
操作部Ｉ／Ｆ２１５は、タッチパネルを有する操作部２０３とのインターフェースであり、操作部２０３に表示する画像データを操作部２０３に対して出力する。また、操作部Ｉ／Ｆ２１５は、操作部２０３においてユーザにより入力された情報をＣＰＵ２１０に送出する。
【００２９】
ネットワークＩ／Ｆ２１６は、ＬＡＮ１０６に接続され、ＬＡＮ１０６を介してＬＡＮ１０６上の各装置との間で情報の入出力を行う。モデム２１７は、公衆回線１０８に接続され、公衆回線１０８を介して情報の入出力を行う。
【００３０】
イメージバスＩ／Ｆ２１８は、システムバス２１４と、画像データを高速で転送する画像バス２１９を接続し、データ構造を変換するためのバスブリッジである。
【００３１】
画像バス２１９は、ＰＣＩバスまたはＩＥＥＥ１３９４から構成される。画像バス２１９上には、ラスタイメージプロセッサ（以下、ＲＩＰという）２２０、デバイスＩ／Ｆ２２１、スキャナ画像処理部２２２、プリンタ画像処理部２２３、画像回転部２２４及び画像圧縮部２２５が設けられている。
【００３２】
ＲＩＰ２２０は、ＰＤＬコードをビットマップイメージに展開するプロセッサである。
デバイスＩ／Ｆ２２１には、スキャナ２０１及びプリンタ２０２が接続され、デバイスＩ／Ｆ２２１は、画像データの同期系／非同期系の変換を行う。
【００３３】
スキャナ画像処理部２２２は、入力画像データに対し補正、加工、編集を行う。プリンタ画像処理部２２３は、プリント出力画像データに対してプリンタの補正、解像度変換などを行う。
【００３４】
画像回転部２２４は、画像データの回転を行う。画像圧縮部２２５は、多値画像データをＪＰＥＧデータに、２値画像データをＪＢＩＧ、ＭＭＲ、ＭＨなどのデータに圧縮するとともに、その伸張処理を行う。
【００３５】
図３は、図１における複写機の全体構成図である。
【００３６】
図２におけるスキャナ２０１とプリンタ２０２とは、図３に示すように、一体的に構成されている。
【００３７】
スキャナ２０１は、原稿給紙ユニット３０１を搭載し、原稿給紙ユニット３０１は、原稿を先頭から順に１枚ずつプラテンガラス３０２上へ給送する。各原稿の読取動作が終了する毎にその原稿をプラテンガラス３０２から排出トレイ（図示せず）に排出する。
【００３８】
スキャナ２０１は、原稿がプラテンガラス３０２上に給送されると、ランプ３０３を点灯し、移動ユニット３０４の移動を開始する。この移動ユニット３０４の移動によりプラテンガラス３０２上の原稿に対する読取走査が行われる。
【００３９】
この読取走査中、原稿からの反射光は、各ミラー３０５、３０６、３０７及びレンズ３０８を経てＣＣＤイメージセンサ（以下、ＣＣＤという）３０９に導かれ、原稿上の画像がＣＣＤ３０９の撮像面上に結像される。ＣＣＤ３０９は、撮像面に結像された画像を電気信号に変換し、この電気信号は所定の処理施された後にコントローラユニット２００に入力される。
【００４０】
プリンタ２０２は、レーザドライバ３２１を有し、レーザドライバ３２１は、コントローラユニット２００から入力された画像データに基づきレーザ発光部３２２を駆動する。これにより、レーザ発光部３２２からは画像データに応じたレーザ光が発光され、このレーザ光は走査されながら感光ドラム３２３上に照射される。
【００４１】
感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１、３１２から用紙が搬送路を介して感光ドラム３２３と転写部３２５との間に給紙され、感光ドラム３２３上のトナー像は転写部３２５により給紙された用紙上に転写される。
【００４２】
トナー像が転写された用紙は、搬送ベルトを介して定着ローラ対（加熱ローラと加圧ローラ）３２６に送られ、定着ローラ対３２６は、用紙を熱圧し、用紙上のトナー像を用紙上に定着させる。
【００４３】
この定着ローラ対３２６を通過した用紙は、排紙ローラ対３２７により排紙ユニット３３０に排紙される。排紙ユニット３３０は、ソート、ステイプルなどの後処理を施すことが可能なシート処理装置からなる。
【００４４】
また、両面記録モードが設定されている場合には、用紙を排紙ローラ対３２７まで搬送した後に、排紙ローラ対３２７の回転方向を逆転させ、フラッパ３２８によって再給紙搬送路３２９へ導く。再給紙搬送路３２９に導かれた用紙は、上述したタイミングで感光ドラム３２３と転写部３２５との間に再給紙され、この用紙の裏面にトナー像が転写される。
【００４５】
図４は、図２における操作部の外観図である。
【００４６】
図４の操作部２０３において、ＬＣＤ表示部４０１は、ＬＣＤ上にタッチパネルシートが貼られており、システムの操作画面を表示するとともに、表示してあるキーが押されるとその位置情報をＣＰＵ２１０に伝える。
【００４７】
スタートキー４０２は、原稿画像の読み取り動作を開始する時などに用いる。スタートキー４０２中央部には、緑と赤の２色ＬＥＤ４０３があり、その色によってスタートキー４０２が使える状態にあるかどうかを示す。
【００４８】
ストップキー４０４は、稼働中の動作を止める働きをする。設定登録キー４０６は、設定登録を切り替える為のキーである。設定登録とは、当該複写機に実装されているアプリケーション等の仕様が設定されるパラメータ一覧である。リセットキー４０７は、操作部２０３からの設定を初期化する時に用いる。
【００４９】
図５は、図４におけるＬＣＤ表示部に表示する操作画面の例を示す図である。
【００５０】
ＬＣＤ表示部４０１には、コピーキー５０１、送信／ＦＡＸキー５０２、ボックスキー５０３、ブラウザキー５０４のように複数の機能毎にタブ表示されたタッチキーが表示されている。コントローラユニット２００のＲＯＭ２１１にはＷｅｂブラウザ表示のためのプログラムが組み込まれおり、操作部２０３上からの指示により、Ｗｅｂブラウザ表示をすることが可能になっている。
【００５１】
５つ以上の機能がコントローラ２００に装備されている場合は、コピー、送信／ＦＡＸ、ボックス、ブラウザの４つ機能タブの右横に右矢印キー５０５が表示される。
【００５２】
図５は、コピーキー５０１が押下されたときのコピー機能の初期画面を表している。コピー機能に関する表示領域５０６において、「コピーできます」と表示している領域には、コピー機能で表示するステータスを表示し、その下には、倍率、選択給紙段、置数を表示する領域がある。
【００５３】
また、コピー機能の動作モードを設定するためのタッチキーとして、等倍、倍率、用紙選択、ソータ、両面、割込み、文字、濃度調整用として薄くするに対応する左矢印キー、濃くするに対応する右矢印キー、濃度を自動調整する自動キーが表示される。初期画面に表示しきれない動作モードの指定に際しては、応用モードキーを押下することで階層的に表示領域５０６内に設定画面が表示されるようになっている。
【００５４】
表示領域５０７は、複写機１０１のステータスを表示する領域であり、例えば、ジャムなどのアラームメッセージや、ＰＤＬプリントが行われているときにＰＤＬプリント中であることを示すステータスメッセージを表示する領域である。
【００５５】
システム状況／中止キー５０８を押下すると、複写機１０１のデバイス情報を表示する画面や、プリントジョブ状況を表示する画面を表示し（図示せず）、この画面ではジョブの中止を行うことが可能になっている。
【００５６】
送信／ＦＡＸキー５０２を押下すると、複写機１０１で読み取った画像をＬＡＮ１０６上の機器にＥ−ｍａｉｌ送信、ＦＴＰ送信する、またはファクシミリ装置１０７により公衆回線１０８を使って送信するための設定画面を表示する（図示せず）。
【００５７】
ボックスキー５０３を押下すると、複写機１０１上で読み取った画像をＨＤＤ２１２内のボックス領域に保存したり、ボックス領域に保存されている画像データを指定して印刷したり、ＬＡＮ１０６上の機器に送信するための設定画面を表示する（図示せず）。
【００５８】
図６は、図５におけるブラウザキーを押下したときの図４におけるブラウザ起動画面を示す図である。
【００５９】
ブラウザキー５０４を押下すると、図６のブラウザ起動画面が開く。
【００６０】
ＵＲＬ入力部５１１は、ＵＲＬを指定してページを開くときに押下する。押下することで、ソフトキーボードが表示され、ユーザがＵＲＬを指定できるよう管理者の権限で設定を行うこともできる。
【００６１】
お気に入りキー５１２は、ＵＲＬを登録、整理、表示を行うことができる。
【００６２】
表示領域５１３はコンテンツの表示領域である。戻るキー５１４は、ページを１つ前に戻すキーである。進むキー５１５はページを１つ進めるキーである。
【００６３】
更新キー５１６は、現在表示しているページを再度ロードして表示するキーである。中止キー５１７は、ページの読み込みを中止するキーである。ホームキー５１８は、設定されているホームページに移動するキーである。
【００６４】
印刷キー５１９は、現在表示しているページを印刷するキーである。このキーを押下すると、図示しない印刷設定ダイアログが表示され、印刷設定ダイアログには、フレームをどのように印刷するかの設定、印刷に関する設定（部数、両面、ソートなど）の画面が表示される。この画面内の印刷スタートボタンを押下することで印刷を開始する。
【００６５】
メニューキー５２０は、画面の表示倍率の変更、文字サイズの変更、文字コードの変更などの画面を表示するキーである。
【００６６】
図７は、図６におけるＵＲＬ入力部５１１を押下することで表示される、ソフトキーボード７０５を示す図である。文字キー７０１は文字を入力するためのソフトキーで、ユーザにより押下されると、文字入力エリア７０２には押下された文字が表示される。
【００６７】
ＯＫキー７０３は、文字入力エリア７０２に表示された入力文字を確定するキーである。シフトロックキー７０４は文字入力する前に押下されることにより、入力される文字すなわち文字入力エリア７０２に表示される文字の大文字および小文字を切り替える。
【００６８】
ソフトキーボード７０５の説明として、ＵＲＬの入力を一例にあげ説明しているが、この文字入力の方法はＵＲＬの入力に限らず、あらゆる文字入力に共通するものである。
【００６９】
本発明のポイントは、英文字入力時の大文字および小文字の切換え、更には大文字入力の設定を解除する方法に特徴をもつ。
【００７０】
次に、本発明におけるシフトロック機能の有効無効を切り替える「設定／登録」メニューについて説明する。
【００７１】
図８は、設定画面（「設定／登録」メニュー）を示す図である。設定画面８０１は、表示設定を行う為の表示設定キー８０２を有し、表示設定キー８０２が押下されると、さらに詳細選択画面８０３が表示される。詳細選択画面８０３はキーボードのシフトロック解除の有効無効を選択するキーボードのシフトロック解除設定キー８０４を有する。
【００７２】
図９は、図８におけるキーボードのシフトロック解除設定キー８０４を押下したときに表示されるキーボードのシフトロック設定を示す設定画面９０１である。設定画面９０１は選択キーエリア９０２を有し、選択キーエリア９０２は、有効キー９０３と無効キー９０４を有する。
【００７３】
本発明において、有効キー９０３が押下されるとキーボードのシフトロック解除機能が有効となり、無効キー９０４が押下されるとキーボードのシフトロック解除機能が無効となる。なお、本処理において有効および無効を意味する設定値はＲＡＭ２１３に保存される。本実施系においては、初期値として無効を意味する値が設定される。
【００７４】
図１０は、本発明におけるソフトキーボードによる文字入力時の処理の流れを示す図である。本処理は主にＣＰＵ２１０にて実行される。
【００７５】
まず、１００１にてシフトロックキー動作モード設定値をＲＡＭ２１３より取得する。シフトロックキー動作モード設定値とは図９にて設定した有効/無効を指す。
【００７６】
次にキー入力受付１００２によりソフトキーボード７０５からの入力受付状態となる。入力受付状態とは、ＬＣＤ表示部４０１にソフトキーボード７０５が表示されているあらゆる条件を指す。ＵＲＬ入力、名前入力ほか、あらゆる文字入力に共通する。
【００７７】
次に、入力キー判定１００３によりソフトキーボード７０５にて押下されたキーが文字キー７０１であるかシフトロックキー７０４であるか、またはＯＫキー７０３またはキャンセルキー７０６であるかを判定する。
【００７８】
押下されたキーがＯＫキー７０３またはキャンセルキー７０６であった場合は、ソフトキーボードによる文字入力時の処理を終了する。
【００７９】
押下されたキーがシフトロックキー７０４であった場合は、シフトロック更新１００９にてＲＡＭ２１３に保存されているシフトロック状態の設定値が切り替わり、キー入力受付１００２に戻る。
【００８０】
押下されたキーが文字キー７０１であった場合は、シフトロック設定判定１００４を行う。シフトロック状態であれば文字入力エリア７０２に大文字を表示し、シフトロック状態でなければ文字入力エリア７０２に小文字を表示する。更に、シフトロック状態の場合、上記文字入力エリア７０２に大文字を表示した後、１００１で取得したシフトロックキー動作モード設定値の有効/無効の判定１００７を行う。
【００８１】
有効の場合はシフトロック状態を解除し、無効の場合はシフトロック状態を保持する。
それぞれの場合においてシフトロック状態を解除または保持し、キー入力受付１００２に戻る。
【００８２】
以上説明したように、本実施例におけるソフトキーボード７０５によれば、設定画面９０１においてシフトロック解除機能を有効に設定すると、英文入力開始時にシフトロックキーを押下しても、１文字入力するとシフトロック状態が自動的に解除される。そのため、英文入力時に、英単語を形成する先頭の文字だけを大文字で入力した後、次の入力文字を小文字にするために再度シフトロックキーを押す必要がなくなり、英文の入力効率を向上させることができる。
【符号の説明】
【００８３】
102  複写機
201  スキャナ
202  プリンタ
203  操作部
401  ＬＣＤ表示部
406  設定登録キー
701  文字キー
702  文字入力エリア
704  シフトロックキー
705  ソフトキーボード
【図１】
2013207461.tif 000003
【図２】
2013207461.tif 000004
【図３】
2013207461.tif 000005
【図４】
2013207461.tif 000006
【図５】
2013207461.tif 000007
【図６】
2013207461.tif 000008
【図７】
2013207461.tif 000009
【図８】
2013207461.tif 000010
【図９】
2013207461.tif 000011
【図１０】
2013207461.tif 000012